(57)【要約】【課題】  洋式トイレにおいて、洋式便器の開口部からこぼれた尿がその側面及び脚部を伝い便器脚部と床の隙間に流れ込むのを防ぎ、洋式便器周辺の床掃除を簡便化すること。【解決手段】  伸縮性の裏面シート部と、液体吸収性の吸収体を備え、この裏面シート部の少なくとも一部に設けられる剥離容易な接着部を有することを特徴とする使い捨ての尿吸収シートであって、該尿吸収シートは剥離可能な接着部で洋式便器に接着し、洋式便器の開口部からこぼれた尿を便器脚部と床の隙間に到達する前に捕捉するものである。【選択図】  図４
0003104823.tif 000002
【実用新案登録請求の範囲】
【請求項１】
洋式便器に貼付して使用する使い捨ての尿吸収シートであって、液体吸収性を有する吸収体と、伸縮性を有する裏面シート部と、前記裏面シート部の少なくとも一部に設けられる剥離可能な接着部とを備えることを特徴とする尿吸収シート。
【請求項２】
透水性と伸縮性を有する表面シート部を備えて前記吸収体を被覆することを特徴とする請求項１記載の尿吸収シート。
【請求項３】
前記吸収体は消臭剤を含有することを特徴とする請求項１又は請求項２に記載の尿吸収シート。
【請求項４】
少なくとも一箇所に支持体からの剥離を容易にするつまみ部を備えることを特徴とする請求項１乃至請求項３のいずれか１項に記載の尿吸収シート。
【請求項５】
前記表面シート部は上端部が洋式便器と接触するように形成したことを特徴とする請求項２に記載の尿吸収シート。
【考案の詳細な説明】
【技術分野】
【０００１】
本考案は洋式便器において、こぼれた尿による便器側面、脚部及び周辺の床の汚損防止のために、洋式便器に接着して使用する剥離可能な使い捨ての尿吸収シートに関するものである。
【０００２】
一般に洋式便器の開口部からこぼれた尿は、開口縁より便器側面を伝わって滴り落ち、便器の側面、脚部及び周辺の床を汚損する。
特にトイレ床面と便器脚部の隙間に侵入した尿は悪臭の原因となるとともに、雑菌の繁殖源ともなるためその汚れは不衛生である。
【０００３】
このような課題に対し、洋式便器の開口部からこぼれた尿を床面で捕捉するマットの発明および考案が開示されている。
特許文献１には、「らくらくお掃除トイレカバー」として、洋式便器の開口部からこぼれた尿による便器側部、脚部及び周辺の床の汚損防止に関する発明が開示されている。
以下、図を参照して従来技術に係る「らくらくお掃除トイレカバー」について説明する。
図１１は従来技術に係る「らくらくお掃除トイレカバー」の実施例の使用状態を示した図である。特許文献１に開示されたらくらくお掃除トイレカバー２１はゴムテープ部２２、被覆布２３、ゴムシャーリング部２４によって構成されている。他に、図１１に示す符号２５は、貯水槽である。
このように構成されたトイレカバーを被覆することにより、洋式便器の開口部側面から脚部および床周辺を被覆し汚損を防止することができる。さらに該カバーは洗濯して繰り返し使用することができる。加えて該カバーを使用することによりトイレの煩雑な拭き掃除を簡便化できる。
【０００４】
次に、特許文献２には「トイレパット」として、便器開口部からこぼれた尿を吸収又は捕捉し、使用後は可燃ごみとして廃棄可能なトイレ用マットに関する発明が開示されている。
特許文献２に開示された「トイレパット」は吸着素材部分、裏面マジックテープ部またはマジックテープ部分によって構成されている。
このように構成された「トイレパット」においては、使い捨て可能なため、従来の布製トイレマットのように使用の都度洗濯する必要がなく、家事労働を軽減することができる。またマットの吸収体２２が尿をその中に素早く閉じ込めるため、雑菌の繁殖による悪臭を防ぐことができ衛生的である。
【０００５】
さらに、特許文献３には、「トイレ尿もれ吸収使い捨てシート」として、便器からこぼれた尿を吸収し、使用後は便器内に流して処理できる紙製のトイレマットに関する考案が開示されている。
特許文献３に開示された「トイレ尿もれ吸収使い捨てシート」は、水分が付着するとその部分が変色する薄手のペーパーシート２５により構成されている。
このように構成された当該考案においては、ペーパーシートに尿が付着するとペーパーシートが変色し、その交換時期の目安にすることができる。また、使用済みのシートは便器内に流して簡単に処理でき、家庭ごみの削減につながるとともに衛生的である。
【０００６】
【特許文献１】特開２００３−１５３８２７号公報
【特許文献２】特開２００３−２９００８４号公報
【特許文献３】登録実用新案第３０３２２１０号公報
【考案の開示】
【考案が解決しようとする課題】
【０００７】
上述の特許文献１に開示された発明においては、洋式便器の側面とその脚部と床の接地面も含めて洗濯可能な布で被覆するため、洋式便器の開口部からこぼれた尿が、掃除が困難な便器と床の隙間の部分に入り込むという問題点は解決される。
しかしながら、該カバー自体が大きくなり洗濯の手間がかかる。
また該カバーは洗濯可能なパイル素材もしくはコットン素材により構成されているが、一般にこれらの素材に付着した汚れや臭いを洗濯により完全に落とすことは難しい。
【０００８】
また、上述の特許文献２に開示された発明においては、洋式便器の脚部の形状はその製造者毎に異なり、「トイレパット」上部の略Ｕ字部分を完全に便器脚部付け根に密着させることは難しい。その結果、洋式便器の開口部からこぼれた尿は便器と床の隙間に入り込み悪臭の原因になる。また、便器と床の隙間は掃除が困難なため不衛生になるという課題がある。
【０００９】
さらに、特許文献３に開示された考案においては、上述の特許文献１の問題点同様、洋式便器の脚部の形状はその製造者毎に異なるため、該シート上部の略Ｕ字部分を完全に便器脚部付け根に密着させることは難しく、その結果特許文献２の発明と同様の課題を有する。
本考案はかかる従来の事情に対処してなされたものであり、洋式便器の開口部からこぼれた尿がその側面及び脚部を伝って便器と床の隙間に流れ込むのを防ぎ、さらに洋式便器側面とその周辺の床掃除を簡便化すること目的とする。
【課題を解決するための手段】
【００１０】
上記目的を達成するため、請求項１記載の考案である尿吸収シートは、洋式便器に貼付して使用する使い捨ての尿吸収シートであって、液体吸収性を有する吸収体と、伸縮性を有する裏面シート部と、この裏面シート部の少なくとも一部に設けられる剥離可能な接着部とを備えるものである。
上記構成の尿吸収シートにおいては、伸縮性を有する裏面シート部の剥離容易な接着部により洋式便器に該尿吸収シートが自在に隙間なく接着されるという作用を有し、さらに洋式便器開口部よりこぼれた尿が便器において吸収体に余すところなく吸収されるという作用を有する。
また、上記シートの接着部は剥離可能なため、使用後に該シートを便器から簡単に取外すことができる。
【００１１】
請求項２に記載の考案である尿吸収シートは、請求項１記載の尿吸収シートの吸収体を被覆する透水性と伸縮性を有した表面シート部を備えるものである。
このような尿吸収シートにおいては、それ自体では形状維持が困難な液体吸収性の高い吸収体を表面シート部により安定に保持するという作用を有する。
また、表面シート部が透水性を備えるため、表面シート上にこぼれた尿がかかった場合には、尿は容易に透過して吸収体に吸収されるという作用を有する。また、伸縮性を備えているため裏面シート部の伸縮性と相まって、尿吸収シートは自在に便器に貼付されるという作用を有する。
【００１２】
請求項３に記載の考案は、請求項１又は請求項２の尿吸収シートにおいて、吸収体が脱臭剤を含有するものである。
このような尿吸収シートにおいては、吸収体に吸収された尿による悪臭の発生を防ぐあるいは周囲の悪臭も防ぐという作用を有する。
【００１３】
請求項４に記載の考案である尿吸収シートは、洋式便器からの剥離を容易にするつまみ部を少なくとも一箇所に備えるものである。
このような尿吸収シートにおいては、つまみ部が、尿吸収シートの使用後に取り外しのために挟持用の小片として作用する。
【００１４】
請求項５に記載の考案である尿吸収シートは、表面シート部の上端部を洋式便器と隙間なく接触するように形成したものである。
このような尿吸収シートにおいては、洋式便器の開口部からこぼれた尿が、まず表面シート部にかかり、その下部の接着部に付着するのを防ぐという作用を有する。
【考案の効果】
【００１５】
以上説明したように、請求項１記載の尿吸収シートにおいては、伸縮性を有する裏面シート部の剥離可能な接着部により洋式便器に該シートが隙間なく接着することで、便器開口部からこぼれた尿を吸収することができ、便器と床の隙間に尿が流れ込むのを防ぐことができ、常に便器とその周辺部を清潔に維持することができる。また、伸縮性を備える裏面シートであるため、立体形状が異なる便器においても適用が容易で、汎用性を発揮することができる。
また、上記シートの接着部は剥離可能なため、該シートは使用後簡単に取外して可燃ごみとして廃棄でき、新しいシートと交換することができるためトイレ拭き掃除の手間を省くことができる。
【００１６】
請求項２記載の尿吸収シートにおいては、吸収体を被覆するように透水性を有する表面シート部を備えることで、それ自体では形状維持が困難な液体吸収性の高い吸収体を安定に保持することが可能になり、見た目にも清潔であり、さらに尿吸収シートの構成を吸収力の高いものにすることができる。
【００１７】
請求項３記載の尿吸収シートにおいては、吸収体が脱臭剤を含有するため吸収された尿による悪臭の発生を防ぐことができ、該シート使用中トイレの室内環境を良好に維持することができる。
【００１８】
請求項４記載の尿吸収シートにおいては、洋式便器からの剥離を容易にするつまみ部を少なくとも一箇所に備えるため、使用後につまみ部を挟持して容易に取外すことができる。このため尿を吸収した部分に直接手を触れずに該シートの交換作業を行うことができる。
【００１９】
請求項５記載の尿吸収シートにおいては、透水性を有する表面シート部の上端部が洋式便器と隙間なく接触するように形成されるため、洋式便器の開口部からこぼれ出た尿が接着部の粘着力を低下させるのを防ぐことができる。
【考案を実施するための最良の形態】
【００２０】
以下に、本考案の実施の形態に係る尿吸収シートを図１乃至図１０に基づき、実施例に分けて説明する。
【実施例１】
【００２１】
図１（ａ）は本考案の実施の形態に係る尿吸収シートの外形図、（ｂ）は（ａ）において符号Ａ−Ａで示す部分の矢視断面図である。図１において、尿吸収シート１は、伸縮性を備えた裏面シート部２、透水性を有する表面シート部３、液体吸収性を備える吸収体４、剥離可能な接着部５によって構成される。
接着部５を、特に洋式便器の側面に接着させることで、尿吸収シートを装着する。
裏面シート部２の構成は、熱可塑性樹脂にフィラーを加えて延伸したシート等が考えられるが、紙おむつや生理用ナプキンに用いられるポリエチレン等の液不透過性フィルムを用いることによれば、裏面シート部２に設けられた接着部５の接着性能の維持をより長期間に亘って維持することができる。
【００２２】
尿吸収シート１において表面シート部３は必須ではなく、吸収体４それ自体が形状保持機能を有する場合は省略することができる。この場合、伸縮性を有する吸収体４を用いることによれば、裏面シート部２との密着性が向上し、洋式便器への装着がより容易となる。
表面シート部３は紙おむつや生理用ナプキンに用いられるような不織布とするが、それに限定されるものではなく、材質も適宜選択してもよい。
また、吸収体４は、水分を吸収した際に色が変わるものとしても良く、これにより尿吸収シート１の交換時期の目安とすることができる。
吸収体４は、綿状パルプ、高吸収性高分子物質、合成繊維、熱溶融成分等からなる液体保持性を有する素材から構成されるが、特に限定されるものではない。例えば、綿状パルプを主成分とする単独層でも良いし、この層の下部に綿状パルプに高吸収性高分子物質を均一に混合した層を設けて複数の層としても良い。さらに、この２層間に、高吸収性高分子物質層を含む構成としても良い。
高吸収性高分子物質としては、例えばデンプン系、セルロース系、合成ポリマー系、ポリアクリル酸ナトリウム系のものが挙げられるが、特にこれらに制限されるものではない。高吸収性高分子物質は、層状の構成としても良いし、綿状パルプ内に散在させても良い。
【００２３】
接着部５は、図１においては裏面シート部２全面に設けられているが、裏面シート部２長辺の両端２箇所に設けても良いし、裏面シート部２長辺の両端部およびその中央部に設けても良い。さらに裏面シート部２に等間隔に縞状に設けても良く、その位置は限定しない。
また、剥離可能な接着部５には、両面接着テープや、ヒドロキシル基（水酸基）を有するアクリル系重合体（特開２００２−３５６６６２号公報参照）等を用いることができる。
【００２４】
図２は本考案の実施の形態に係る尿吸収シート１を装着した洋式便器の斜視図である。図２に示ように尿吸収シート１は、蓋９と便座８を備えた洋式便器７の脚部６に隙間なく横長の状態で接着して使用する。また、図２では尿吸収シート１は洋式便器７の脚部６を略半周しているが、尿吸収シート１の長さはそれに限定されるものではない。また、本実施例１では、尿吸収シート１の幅が広めに示されているが、この幅も特に限定するものではなく、実際の製品ではバリエーションを持って製造されることが望ましい。
【００２５】
図３は本実施例１の使用状態を示す概念図である。図３において尿吸収シート１は、断面構造が理解容易なように実際の大きさより拡大して描かれている。以下、図９においても同様に拡大している。図３に示される符号はそれぞれ、尿吸収シート１、裏面シート部２、表面シート部３、吸収体４、接着部５、脚部６、洋式便器７、便座８、蓋９、開口部１０、尿１１、便器側面１２、こぼれた尿１３、トイレの床１４、隙間１５である。
図３において、図１及び図２で説明した同一構成部分には同一符号を付し、その説明は省略する。洋式便器７を使用する際に開口部１０上にかかった尿１１は、便器側面１２を伝わって落下する。便器側面１２の下部に形成される脚部６まで到達すると、尿吸収シート１が装着されているため、尿１１は表面シート部３を介して吸収体４に素早く吸収される。よって、便器開口部１０よりこぼれた尿１１は脚部６と床１４の隙間１５に到達することはない。
従って、トイレの床１４及び脚部６と床の隙間１５に関して、こぼれた尿１１による汚損及び悪臭の発生を防ぐことができる。
なお、本実施例では尿吸収シート１を脚部６に装着しているものの、これをもう少し上部の便器側面１２に装着するようにしてもよい。上部に装着することによってより早期に尿１１の滴りを防止することができる。但し、周囲の長さが脚部６に比較して長くなるため、尿吸収シート１も長めのものが必要となる。
【００２６】
図４は本実施例１の尿吸収シート１の使用方法を示した概念図である。
図４に示すように尿吸収シート１は、剥離可能な接着部５の作用により洋式便器７の脚部６への取付けと取り外しを容易に行うことができる。また、取外した尿吸収シート１は可燃ごみとして廃棄することが可能である。
【実施例２】
【００２７】
次に尿吸収シート１の裏面シート部及び表面シート部がともに伸縮性を有する実施例２について説明する。
図５（ａ）は尿吸収シート１の裏面シート部２および表面シート部３が伸縮性を持たない場合の使用状態を示す概念図、（ｂ）尿吸収シート１ａの裏面シート部２および表面シート部３が伸縮性をもつ場合の使用状態を示す概念図である。なお、図５においても、実施例１と同一構成部分については同一符号を付してその説明を省略する。
図５（ａ）に示すように洋式便器７の脚部６が略円筒形状の場合、尿吸収シート１の裏面シート部２及び表面シート部３は伸縮性を必要としない。しかしながら、図５（ｂ）に示ように洋式便器７の脚部６が滑らかな曲線を有する形状である場合、尿吸収シート１ａを洋式便器７の脚部６に隙間なく密着させるには裏面シート部２及び表面シート部３の両方に伸縮性が要求される。
裏面シート部２および表面シート部３に伸縮性を付与するためには、それ自体が伸縮性を備える材質を採用したり、あるいはこれらのシート部２，３に弾性体を付加する構成としてもよい。その弾性体の材料としては、例えばウレタン糸、糸ゴム等がある。
裏面シート部２及び表面シート部３の両方に伸縮性を持たせることによって、自在に伸縮して脚部６の形状にかかわらず尿吸収シート１ａをフィットさせることができる。
【実施例３】
【００２８】
次に、本発明に係る尿吸収シートの実施例３を図面を参照しながら説明する。
図６は脱臭効果を有する吸収体４を備えた尿吸収シート１ｂの断面図である。
一般に水分を含んだ尿においては尿自体の臭いに加えて雑菌の繁殖により発生する悪臭が問題となる。本実施例の尿吸収シート１ｂでは吸収体４に消臭剤１６を含有しており、捕捉した尿が発する臭いを防ぐことができる。
なお、尿吸収シート１ｂの消臭剤１６の形状及び配置場所は特に制限されるものではなく、図面に示すとおり吸収体４の内部に点在させても良いし、例えば表面シート部３の表面あるいは裏面に透水性を損なわない手法により接着しても良い。
また、消臭剤は木酢液の粉末や、白樺、梅、ばら、檜、松、こぶし、つつじ等の天然由来消臭成分を用いてもよいし、吸水性ポリマーに悪臭物質を分解ないし吸収する金属錯体の分散液を付与して乾燥させたもの（特開平５−２７７１４３号公報参照）、すなわち分解物質を用いてもよい。
【実施例４】
【００２９】
次に、つまみ部１７を備えた実施例４に係る尿吸収シート１ｃについて説明する。
図７（ａ）は尿吸収シート１ｃの使用状態を説明するための概念図であり、（ｂ）は尿吸収シート１ｃを洋式便器７の脚部６から取り外す様子を示す概念図である。なお、実施例１と同一構成部分については同一符号を付してその説明を省略する。
実施例４に係る尿吸収シート１ｃは、その端部につまみ部１７を備える構成としたものである。
つまみ部１７を備えた尿吸収シート１ｃにおいては、便器開口部１０よりこぼれた尿を吸収した部分に直接触れることなく交換作業を行うことができるので衛生的である。
なお、つまみ部の取付け位置や取付け数は特に制限されるものではなく、例えば尿吸収シート１ｃの長辺の両端２箇所につまみ部１７を取り付けても良い。
【実施例５】
【００３０】
次に、本発明の実施例５に係る尿吸収シートについて図８及び図９を参照しながら説明する。
図８（ａ）は本実施例５の尿吸収シート１ｄを取り付けた洋式便器７の外形図であり、（ｂ）は本実施例５に係る尿吸収シート１ｄの（ａ）に符号Ｂ−Ｂで示される部分の矢視断面図である。本実施例５では、尿吸収シート１ｄに表面シート部３と洋式便器の脚部６を接着させるための接触部１８を付加するものである。
【００３１】
上記構成の尿吸収シート１ｄの作用について図９（ａ），（ｂ）を用いて説明する。
図９（ａ）は尿吸収シート１ｄの使用状態を示す概念図であり、（ｂ）は本実施例の変形例である尿吸収シート１ｅの使用状態を示す概念図である。
図９（ａ）に示すように、便器開口部１０よりこぼれた尿１１は便器側面１２を伝い、まず初めに尿吸収シート１ｄの表面シート部の接触部１８に到達する。表面シート部３及びその接触部１８は透水性を有するため、接触部１８に到達した尿は表面シート部３を透過して素早く吸収体４に捕捉される。この作用により、尿吸収シートに達した尿が接着部５に接することがないため、尿の水分による接着部５の接着力の低下を防ぐことができる。
なお、表面シート部３の接触部１８は図９（ａ）に示すように、その端部１９と洋式便器７の脚部６が必ずしも略垂直な形で接する必要はない。例えば図９（ｂ）に示ように、接触部１８の一部が面で洋式便器７の脚部６に接触するように洋式便器７の脚部６に尿吸収シート１ｅを接着してもよい。このように構成される場合には、接触部１８はより脚部６に密着して尿１１を接着部５側に漏らすことがない。さらに、このような場合に接触部１８を不透水性を備えるような材料を用いると、なお接着部５への尿１１の漏洩防止には効果があるので望ましい。
【実施例６】
【００３２】
本考案の尿吸収シートの実施例６について図面を参照しながら説明する。
図１０（ａ）は実施例６の尿吸収シート１ｆを装着した洋式便器の斜視図であり、（ｂ）はその尿吸収シート１ｆの展開図である。（ｃ）は実施例６の変形例に係る尿吸収シート１ｇを装着した洋式便器の斜視図、（ｄ）はその尿吸収シート１ｇの展開図である。
図１０（ａ），（ｂ）に示ように、尿吸収シート１ｆは表面シート部３の接触部１８が波状に構成される。このような構成によれば接触部１８の表面積が広がり、便器開口部１０よりこぼれた尿を迅速に吸収することができる。
また、図１０（ｃ），（ｄ）に示ように尿吸収シート１ｇの幅ＱがＰ＜Ｑとなるように構成され、しかも展開図が略三日月型をなすように構成される。この構成によれば、洋式便器７の正面２０周辺の尿の許容吸収量を大きくすることができ、かつ尿吸収シート１ｇの端から尿がこぼれ落ちるのを防ぐことができる。
【産業上の利用可能性】
【００３３】
本考案の尿吸収シートによると、脚部の形状を問わず、いかなる洋式便器の脚部にも隙間なく密着させることができる。
また、吸水性の吸収体に、吸油性を持たせることで、油類の液垂れ等による汚損防止に用いる使い捨ての油吸収シート等に応用できる。
【図面の簡単な説明】
【００３４】
【図１】（ａ）は本考案の実施の形態に関わる尿吸収シートの外形図、（ｂ）は（ａ）において符号Ａ−Ａで示す部分の矢視断面図である。
【図２】本考案の実施の形態に係る尿吸収シート１を装着した洋式便器の斜視図である。
【図３】実施例１の使用状態を示す概念図である。
【図４】実施例１の尿吸収シートの使用方法を示した概念図である。
【図５】（ａ）は実施例２の尿吸収シートの裏面シート部および表面シート部が伸縮性を持たない場合の使用状態を示す概念図、（ｂ）は実施例２の尿吸収シートの裏面シート部および表面シート部が伸縮性をもつ場合の使用状態を示す概念図である。
【図６】脱臭効果を有する吸収体を備えた実施例３の尿吸収シートの断面図である。
【図７】（ａ）は実施例４の尿吸収シートの使用状態を説明するための概念図であり、（ｂ）は実施例４の尿吸収シートを洋式便器の脚部から取り外す様子を示した概念図である。
【図８】（ａ）は実施例５の尿吸収シートを取り付けた洋式便器の外形図であり、（ｂ）は本実施例５に係る尿吸収シート１ｄの（ａ）に符号Ｂ−Ｂで示される部分の矢視断面図である。
【図９】（ａ）は実施例５の尿吸収シートの使用状態を示す概念図であり、（ｂ）は実施例５の変形例である尿吸収シートの使用状態を示す概念図である。
【図１０】（ａ）は実施例６の尿吸収シートを装着した洋式便器の斜視図であり、（ｂ）はその尿吸収シートの展開図であり、（ｃ）は実施例６の変形例にかかる尿吸収シートを装着した洋式便器の斜視図、（ｄ）はその尿吸収シートの展開図である。
【図１１】従来技術に係る「らくらくお掃除トイレカバー」の使用状態を示した図である。
【００３５】
１〜１ｇ…尿吸収シート  ２…裏面シート部  ３…表面シート部  ４…吸収体  ５…接着部  ６…脚部  ７…洋式便器  ８…便座  ９…蓋  １０…便器開口部  １１…尿  １２…便器側面  １４…床  １５…隙間  １６…消臭剤  １７…つまみ部  １８…接触部  １９…端部  ２０…正面  ２１…らくらくお掃除トイレカバー  ２２…ゴムテープ部  ２３…被覆布  ２４…ゴムシャーリング部  ２５…貯水槽
【図１】
0003104823.tif 000003
【図２】
0003104823.tif 000004
【図３】
0003104823.tif 000005
【図４】
0003104823.tif 000006
【図５】
0003104823.tif 000007
【図６】
0003104823.tif 000008
【図７】
0003104823.tif 000009
【図８】
0003104823.tif 000010
【図９】
0003104823.tif 000011
【図１０】
0003104823.tif 000012
【図１１】
0003104823.tif 000013